(57)【要約】【課題】便蓋で衛生洗浄装置の実質的に全体を覆うことが可能で、人体検知も確実に実行可能な衛生洗浄装置及びこれを備えたトイレ装置を提供する。【解決手段】吐水口から水を噴射する吐水ノズルを内蔵した本体部と、前記本体部において相対的に前方に回転可能に軸支された便座と、前記本体部において相対的に後方に回転可能に軸支され、閉じた状態において前記便座及び前記本体部の上面の略全体を覆う便蓋と、前記便蓋の後部に設けられ、前記便蓋とは異なる材料により形成された透過窓と、前記本体部の上面に設けられ、前記便蓋が閉じた状態において前記透過窓を介して人体を検知可能な人体検知センサと、を備えたことを特徴とする衛生洗浄装置を提供する。【選択図】図１
2007209642.tif 000002
【特許請求の範囲】
【請求項１】
吐水口から水を噴射する吐水ノズルを内蔵した本体部と、
前記本体部において相対的に前方に回転可能に軸支された便座と、
前記本体部において相対的に後方に回転可能に軸支され、閉じた状態において前記便座及び前記本体部の上面の略全体を覆う便蓋と、
前記便蓋の後部に設けられ、前記便蓋とは異なる材料により形成された透過窓と、
前記本体部の上面に設けられ、前記便蓋が閉じた状態において前記透過窓を介して人体を検知可能な人体検知センサと、
を備えたことを特徴とする衛生洗浄装置。
【請求項２】
前記人体検知センサは、人体が発する赤外線を集光するレンズと、前記赤外線を検知する焦電素子と、を有することを特徴とする請求項１記載の衛生洗浄装置。
【請求項３】
前記本体部の前記上面には、凹設部が設けられ、
前記レンズは、少なくともその一部が前記凹設部に埋め込まれてなることを特徴とする請求項２記載の衛生洗浄装置。
【請求項４】
前記透過窓は、前記便蓋に対して着脱可能に取り付けられたことを特徴とする請求項１〜３のいずれか１つに記載の衛生洗浄装置。
【請求項５】
前記便蓋は、その後端に設けられた開口部を有し、
前記透過窓の側面と前記開口部の側壁のいずれか一方にはレールが設けられ、
前記透過窓の側面と前記開口部の側壁のいずれか他方にはレール溝が設けられ、
前記レールと前記レール溝とを係合させた状態で前記透過窓をスライドさせることにより前記便蓋に取り付け可能とされたことを特徴とする請求項４記載の衛生洗浄装置。
【請求項６】
前記透過窓と前記開口部のいずれか一方には係合凸部が設けられ、
前記透過窓と前記開口部のいずれか他方には係合凹部が設けられ、
前記便蓋に前記透過窓を取り付けた状態において、前記係合凸部と前記係合凹部とが係合してなることを特徴とする請求項５記載の衛生洗浄装置。
【請求項７】
腰掛便器と、
請求項１〜６のいずれか１つに記載の衛生洗浄装置と、
を備えたことを特徴とするトイレ装置。
【請求項８】
前記本体部は、前記便蓋を開閉させる便蓋電動開閉装置と、前記腰掛便器に対する洗浄水の供給を制御する便器洗浄バルブと、を内装し、
前記人体検知センサは、前記便蓋電動開閉装置及び前記便器洗浄バルブのいずれかの上方に設けられたことを特徴とする請求項７記載のトイレ装置。
【発明の詳細な説明】
【技術分野】
【０００１】
本発明は、衛生洗浄装置及びトイレ装置に関し、より具体的には、開閉自在な便蓋を備えた衛生洗浄装置及びこれを備えたトイレ装置に関する。
【背景技術】
【０００２】
衛生洗浄装置は、その内部に洗浄水を噴射する吐水ノズルを進退自在に収容し、腰掛便器の上に設置して使用者の「おしり」などを温水で洗浄することができる。通常、衛生洗浄装置には、使用者が腰掛ける便座と、その上を覆う便蓋と、がそれぞれ開閉自在に軸支されている（例えば、特許文献１及び２）。
【０００３】
一方、多くの衛生洗浄装置には、使用者の接近あるいは存在を検知する人体検知センサが設けられている。この人体検知センサの検出結果に基づき、使用者のトイレへの入退室に応じて便蓋を自動開閉したり、便器に洗浄水を自動的に流したり、便座や洗浄水の温度制御を実行することができる。
【特許文献１】特開２００３−２６５３６０号公報
【特許文献２】特開２００４−２６７３４８号公報
【発明の開示】
【発明が解決しようとする課題】
【０００４】
便蓋を閉じた状態において、便座だけでなく衛生洗浄装置の本体も便蓋に覆われるようにすると、見栄えがすっきりとするとともに、ゴミなどが入り込む隙間をなくし、また拭き掃除などの清掃性も向上させることができる。  
ところが、衛生洗浄装置の本体まで便蓋で覆うと、赤外線投光式の人体検知センサの検知範囲を遮光するという問題が生ずる。このために、特許文献２に記載されていように、人体検知センサを衛生洗浄装置の側面方向に突出させたり、あるいは便蓋の後部に切欠部を設けて人体検知センサを露出させる必要が生ずる。しかし、このようにすると、かえって見栄えが悪くなり、衛生洗浄装置の清掃性も低下してしまう。
【０００５】
本発明は、かかる課題の認識に基づいてなされたものであり、便蓋で衛生洗浄装置の実質的に全体を覆うことが可能で、人体検知も確実に実行可能な衛生洗浄装置及びこれを備えたトイレ装置を提供するものである。
【課題を解決するための手段】
【０００６】
本発明の一態様によれば、
吐水口から水を噴射する吐水ノズルを内蔵した本体部と、
前記本体部において相対的に前方に回転可能に軸支された便座と、
前記本体部において相対的に後方に回転可能に軸支され、閉じた状態において前記便座及び前記本体部の上面の略全体を覆う便蓋と、
前記便蓋の後部に設けられ、前記便蓋とは異なる材料により形成された透過窓と、
前記本体部の上面に設けられ、前記便蓋が閉じた状態において前記透過窓を介して人体を検知可能な人体検知センサと、
を備えたことを特徴とする衛生洗浄装置が提供される。
【０００７】
また、本発明の他の一態様によれば、
腰掛便器と、
上記の衛生洗浄装置と、
を備えたことを特徴とするトイレ装置が提供される。
【発明の効果】
【０００８】
本発明によれば、便蓋で衛生洗浄装置の実質的に全体を覆うことが可能で、人体検知も確実に実行可能な衛生洗浄装置及びこれを備えたトイレ装置を提供することができる。
【発明を実施するための最良の形態】
【０００９】
以下、図面を参照しつつ本発明の実施の形態について説明する。  
図１及び図２は、本発明の実施の形態にかかる衛生洗浄装置を搭載したトイレ装置の模式斜視図である。  
また、図３は、本具体例の衛生洗浄装置を正面から眺めた斜視図である。
【００１０】
すなわち、洋式腰掛便器８００の上に、衛生洗浄装置１００が設置されている。衛生洗浄装置１００は、本体部４００と、この本体部４００に対して開閉自在に軸支された便座２００及び便蓋３００と、を備える。本体部４００からは、使用者のスイッチ操作などに応じて吐水ノズル（図示せず）が便器８００のボウル内に伸出し、その先端付近に設けられた吐水口から水を噴射して、使用者の「おしり」などを洗浄可能とされている。なお、本願明細書において「水」という場合には、冷水のみならず、加熱されたお湯も含むものとする。また、本体部４００には「脱臭ユニット」や「温風ユニット」、「室暖ユニット」などの各種の機構が適宜設けられ、その側面には、排気孔４４０及び排出孔４５０が適宜設けられている。本体部４００の内部構成については、後に詳述する。
【００１１】
便座２００は本体部４００において相対的に前方に軸支され、一方、便蓋３００は本体部４００において相対的に後方に軸支されている。つまり、便座２００の回転軸と便蓋３００の回転軸は、前後方向に離間して設けられている。図１及び図３に表したように便蓋３００が開いた状態においては、本体部４００と便座２００はほぼ完全に露出し、使用者は便蓋３００に干渉することなく便座２００に座ることができる。また、便蓋３００を本体部４００の後部で軸支することにより、便座２００に座る使用者から便蓋３００を遠ざけることができる。その結果として、便座２００に座る使用者に開放感を与え、快適な使用感が得られる。また、例えば、厚手の上着や丈の長いワンピースなどをまくし上げて便座２００に座るような場合でも、これら上着やワンピースなどが便蓋３００に接触しにくくなり、使用者に圧迫感や衛生的な不快感を与えることもない。
【００１２】
一方、図２に表したように便蓋３００が閉じると、便座２００だけでなく本体部４００もほぼ完全に便蓋３００に覆われた状態となる。このように便蓋３００で衛生洗浄装置のほぼ全体を覆うようにすると、非常にスマート且つシンプルで見栄えがすっきりとする。また、衛生洗浄装置１００の全体を便蓋３００で覆うことにより、使用されていない状態において便座２００のみならず本体部４００の上にも埃やチリなどが積もることはない。さらに、便蓋３００を閉じた状態において、衛生洗浄装置１００の上面に「隙間」や「凹凸」などがなくなるため、濡らした雑巾などで拭き掃除をする際にも、便蓋３００の上面全体を滑らかにサッと拭くことができ、清掃性が良好になる。
【００１３】
また、本具体例の場合、本体部４００の側面に段部４０５（図５も参照のこと）が形成されている。この段部４０５は、便蓋３００が閉じた状態において、便蓋３００の後部下端３０５と当接または近接した状態で整合し、本体部４００の側面と便蓋３００の側面とはほぼ連続した同一面を形成する。その結果として、便蓋３００が閉じた状態において、衛生洗浄装置１００の側面にも便蓋３００から本体部４００に至る連続平面が形成され、さらに見栄えがすっきりとするとともにホコリや汚れが堆積することも防止できる。また、便蓋３００を閉じた状態で衛生洗浄装置１００の側面を拭き掃除した場合にも、雑巾がひっかかることなく滑らかにサッと拭くことができる。
【００１４】
そして、本実施形態の衛生洗浄装置の本体部４００は、便座２００の軸支部と便蓋３００の軸支部の間に、閉じた状態の便蓋３００とほぼ並行な面となる上面を有しており、その上面に人体検知センサ５００が設けられている。一方、便蓋３００の後部には透過窓３１０が設けられている。  
図４乃至図６は、人体検知センサ５００の取り付け部を表す拡大斜視図であり、図４は便蓋３００が閉じた状態、図５及び図６は便蓋３００が開いた状態をそれぞれ表す。  
また、図７は、便蓋３００が開いた状態においてその軸支部を正面から眺めた拡大斜視図である。
【００１５】
本体部４００の上面に凹設部４１０が形成され、人体検知センサ５００は、その一部が凹設部４１０に埋め込まれるように設けられている。後に詳述するように、人体検知センサ５００としては、赤外線検知方式のセンサを用いることができ、例えば焦電センサを用いると使用者の存在を高い確度で検知できる。焦電センサの場合、その前方の所定の検知範囲内における発熱体の移動を検知可能とされている。
【００１６】
図４に表したように便蓋３００が閉じた状態においては、人体検知センサ５００は、透過窓３１０を介して衛生洗浄装置の前方にいる使用者の存在を検知する。すなわち、透過窓３１０は、人体検知センサ５００が検知する赤外線を透過する。人体検知センサ５００として例えば焦電センサを用いた場合、波長約１０マイクロメータ程度の遠赤外線を検知する。従って、透過窓３１０は、この波長帯の赤外線に対してある程度の透過率を有する材料からなる。透過窓３１０の材料として例えばポリエチレンを用いることにより、便蓋３００が閉じた状態においても、使用者の接近や存在を透過窓３１０を介して高い感度で検知できる。
【００１７】
一方、透過窓３１０を支持する便蓋３００は、赤外線に対して透過窓３１０よりも低い透過率を有する材料により形成できる。便蓋３００を透過窓３１０よりも硬くて丈夫な材料により形成すれば、たわみや変形が少なく、またキズも付きにくくなる。また、便蓋３００の色も自由に選択でき、便器８００や本体部４００の色に合わせることも容易となる。これらの要求を満たす便蓋３００の材料としては、例えば、ポリプロピレンなどを挙げることができる。
【００１８】
便蓋３００が閉じた状態で人体検知センサ５００が使用者を検知すると、例えば本体部４００に内蔵された電動開閉ユニットを動作させて便蓋３００を自動的に開くことができる。また、例えば、便座２００を急速暖房したり、本体部４００に設けられた室内暖房ユニットを動作させてトイレを暖めたり、便器８００に予め少量の洗浄水を流してボウルを濡らすことにより汚れの付着を抑制する処理などを実行することが可能となる。
【００１９】
そして、図５及び図６に表したように便蓋３００が開くと、人体検知センサ５００の前方に遮蔽体はなくなるので、そのまま使用者の存在を検知することができる。また、本体部４００には、着座センサ４２０が設けられ、便座２００に座った使用者の存在を検知可能としている。なお、着座センサ４２０としては、例えば、赤外線を放射しその反射光量により検知する方式の赤外線センサを用いることができる。
【００２０】
図８は、人体検知センサ５００の構造を例示する模式図である。すなわち、図８は、人体検知センサ５００として焦電センサを用いた場合の構造を表す。  
焦電センサは、基板５３０に実装された焦電素子５１０と、その受光面に対向配置されたレンズ５２０と、を有する。焦電素子５１０は、例えばＰＺＴ（ジルコン酸チタン酸鉛）系、ＬｉＴａＯ３（タンタル酸リチウム）系、ＰｂＴａＯ３（タンタル酸鉛）系などの焦電物質を用い、複数の検知領域に分割されている。また、レンズ５２０も、複数のレンズ部５２０Ｌに分割されている。人体などの発熱源が移動すると、これらレンズ体５２０による赤外線の集光パターンも焦電素子５１０の受光面を移動するので、その変化を検知することができる。
【００２１】
図９は、人体検知センサ５００を埋め込んだ本体部４００の一部拡大縦断面図である。
【００２２】
本具体例においては、図９に表したように、人体検知センサ５００を、本体部４００の上面のケースカバー４３０の後部すなわち便蓋３００の軸支部に近接させて、本体部４００の上面にやや突出させて設ける。こうすることにより、透過窓３１０と人体検知センサ５００との距離を小さくできる。その結果として、透過窓３１０のサイズを小さくしつつ幅広い範囲を検知することが可能となる。つまり、人体検知センサ５００からみた時に、小さな透過窓３１０を介して広角の範囲を検知できる。
【００２３】
前述したように、透過窓３１０は、便蓋３００よりも赤外線に対する透過率の高い材料で形成する必要があり、このために便蓋３００とは色や質感が異なる場合もあり、硬度が低く、変形したりキズなどがつきやすい場合がある。このような場合でも、本実施形態によれば、透過窓３１０を小さくでき、また便蓋３００の後端付近に設けることができるので、目立たず、また人手に触れにくくなるため変形やキズ付きも抑制できるという効果が得られる。
【００２４】
また、図９に表したように、本体部４００に凹設部４１０を設け、人体検知センサ５００の一部分をこの凹設部４１０を埋め込むことにより、人体検知センサ５００を本体部のケースカバー４３０の上面から大きく突出させることなく、幅広い角度を検知することが可能となる。つまり、ケースカバー４３０の上面の清掃性を維持しつつ、確実な人体検知が可能となる。
【００２５】
図１０及び図１１は、本具体例の衛生洗浄装置１００において人体検知センサ５００により人体を検知可能な範囲を例示する模式図である。すなわち、図１０は水平方向、図１１は垂直方向の検知可能範囲を表す。
【００２６】
図１０から分かるように、人体検知センサ５００により水平方向に４０度の範囲内で人体９００の検知が可能である。また、図１１から分かるように、垂直方向には３３度の範囲内で衛生洗浄装置の前方上方の人体９００の検知が可能である。これは、通常の広さのトイレにおいて、衛生洗浄装置１００に接近する使用者や、衛生洗浄装置１００の前方に立つ使用者の存在を検知するのに十分な範囲である。また、図１１に表したように、通常の背丈の大人９００が便器８００の後端から２．５メータの距離に接近すると検知可能となる。そして、通常の背丈の大人９００が便器８００の直前に立ったときの頭部も検知可能である。また、一般に、一人でトイレの使用ができる身長が１メータ弱の子供９１０の場合にも、衛生洗浄装置１００の前端から１００ミリメータ程度まで接近すると検知可能となる。むろん、その子供９１０が便器８００の直前に立った時の頭部も検知可能である。つまり、便器８００（衛生洗浄装置１００）を使用する大人から子供までの使用者の存在を確実に検知することが可能である。
【００２７】
次に、本具体例において用いる透過窓３１０とその取り付け構造についてさらに詳細に説明する。  
図１２は、透過窓３１０を取り付ける便蓋３００の取付部を表す斜視図である。  
便蓋３００の後端には、透過窓３１０を取り付ける開口３４０が形成されている。開口３４０の前方側壁と左右両側壁には、薄板状のレール３５０が設けられている。一方、開口３４０の後端には、支持橋３６０が設けられている。透過窓３１０は、便蓋３００の後ろ側から、支持橋３６０の上を通過し、レール３５０に沿って矢印Ａの方向にスライド挿入される。
【００２８】
図１３は、透過窓３１０を斜め上方から眺めた斜視図である。  
また、図１４は、透過窓３１０を斜め下方から眺めた斜視図であり、
図１５は、透過窓３１０を横方向に切断した断面斜視図である。
【００２９】
また、図１６は、透過窓３１０の取り付け部の断面を表す拡大断面図である。
【００３０】
透過窓３１０の前方の側面と左右の両側面には、便蓋３００のレール３５０と係合するレール溝３１２が設けられている。透過窓３１０は、図１２及び図１３に矢印Ａで表したように、便蓋３００の後端から、両側端のレール３５０にレール溝３１２を係合させつつ前方にスライドさせることにより、開口３４０を塞ぐように取り付けることができる。透過窓３１０を前端までスライドさせると、その前方端のレール溝３１２が開口３４０の前方端のレール３５０に係合する。このようにして透過窓３１０が便蓋３００に取り付けられた状態において、透過窓３１０の上面と便蓋３００の上面とは連続し、これらの間に「段差」や「つなぎ目」は殆どない状態とされる。見栄えがすっきりとし、拭き掃除なども滑らかに行うことができる。
【００３１】
なお、図１２乃至図１６においては、開口３４０の側壁にレール３５０が設けられ、透過窓３１０の側面にレール溝３１２が設けられた具体例を表したが、本発明はこれには限定されない。例えば、これとは逆に、開口３４０の側壁にレール溝が設けられ、透過窓３１０の側面にレールが設けられた構造でもよい。
【００３２】
一方、透過窓３１０の後部の裏面側の両側には、フック（係合凸部）３１４が設けられている。本具体例においては、フック３１４は鈎状に形成され、レール溝３１２の一部を切り欠くことによって上下に弾性変形が可能とされている。一方、図１２に表したように、便蓋３００の支持橋３６０の両端部には、フック用凹部（係合凹部）３６５が設けられている。透過窓３１０をレール３５０に沿って前端までスライドさせると、フック３１４がフック用凹部３６５に係合し固定される。このようにして、確実且つ容易に透過窓３１０を便蓋３００に取り付け固定することができる。また、便蓋３００に取り付けられた透過窓３１０を所定以上の力で後方に引くと、フック３１４が弾性的に後退してフック３１４とフック用凹部３６５との係合が解除される。従って、レール３５０に沿って透過窓３１０を後方にスライドさせ便蓋３００から引き抜くことができる。従って、透過窓３１０が破損したり汚れたような場合には、便蓋３００から簡単に取り外して交換できる点でも便利であり、経済性にも優れる。
【００３３】
また、このようにフック３１４を透過窓３１０の後端付近に設けることにより、図６に表したように、便蓋３００を開いた状態においても、使用者からフック３１４は殆ど見えず、見栄えをすっきりとさせることができる。
【００３４】
なお、図１２乃至図１６においては、透過窓３１０にフック（係合凸部）３１４を設け、支持橋３６０にフック用凹部（係合凹部）３６５を設けた具体例を表したが、本発明はこれには限定されない。例えば、これとは逆に、透過窓３１０にフック用凹部（係合凹部）を設け、支持橋３６０にフック（係合凸部）を設けた構造でもよい。
【００３５】
一方、本具体例においては、便蓋３００を閉じた状態において、人体検知センサ５００は透過窓３１０を介して使用者の存在を検知するので、透過窓３１０はできるだけ赤外線を透過しやすい構造にすることが望ましい。このために、透過窓３１０の材料としては、前述したように例えばポリエチレンを用いる。さらに、図１５及び図１６に表したように、肉薄の窓部３２０を設けて赤外線の透過率を高くし、その周囲には肉厚のフランジ部３３０を設けて支持補強する構造とした。
【００３６】
透過窓３１０を高密度ポリエチレンで形成した場合、窓部３２０の厚みを０．５ミリメータ程度まで薄くすると、人体検知センサ５００として焦電センサを用いた場合でも十分な検出感度が得られた。一方、窓部３２０の周囲に設けるフランジ部３３０の厚みを１．５ミリメータ程度とすれば、通常の使用態様において透過窓３１０の外れや破損を防止できる。
【００３７】
また、図９に関して前述したように、本具体例においては、透過窓３１０の下には人体検知センサ５００が突出して設けられ、図９に表したようにケースカバー４３０の上端と透過窓３１０との間隔Ｓは約１ミリメータとされている。従って、便蓋３００を閉じた状態で透過窓３１０に押圧力が負荷されると窓部３２０が変形するが、その変形量は１ミリメータまでに制限され、それ以上の押圧力に対してはケースカバー４３０が力を受けることにより透過窓３１０の破損や外れを防止できる。  
以上、本具体例における透過窓３１０とその取り付け部について詳述した。
【００３８】
次に、本具体例の衛生洗浄装置１００を水道直圧式の便器と組み合わせたトイレ装置の本体部４００の内部構造についてさらに詳しく説明する。  
図１７は、本体部４００の内部を前方から眺めた斜視図である。  
また、図１８は、本体部４００の内部を後方から眺めた斜視図である。  
ケースカバー４３０の上面には、人体検知センサ５００の近傍に表示部６７０が適宜設けられている。表示部６７０は、例えばトイレ装置に対する電源の投入状態などを適宜表示する役割を有する。また、ケースカバー４３０の前部の上部においては、便座２００を自動開閉させるための電動開閉ユニット７８０が突出して設けられている。
【００３９】
一方、ケースカバー４３０の内部の前部には、ノズルユニット６１０、温風ユニット６２０、脱臭ユニット６３０、が併設されている。ノズルユニット６１０は、進退自在の吐水ノズルを有し、便座２００に座った使用者の「おしり」などに水を噴射して洗浄する役割を有する。温風ユニット６２０は、便座２００に座った使用者の「おしり」などに温風をあてて乾燥させる役割を有する。脱臭ユニット６３０は、便器８００のボウル内の空気を吸引し、脱臭して排気孔４４０から排出する役割を有する。
【００４０】
また、ケースカバー４３０の内部の前部にはＡＣ（交流）コントローラ６４０が設けられ、その後部には、ポンプユニット６５０と熱交換ユニット６６０が設けられている。熱交換ユニット６６０に供給された水は加熱され、ポンプユニット６５０で水に脈動を付与し、ノズルユニット６１０にこの脈動水を供給する。
【００４１】
また、ケースカバー４３０の側面には、補助操作ユニット６８０が設けられている。補助操作ユニット６８０には、ノズルユニット６１０による「おしり」の洗浄などを操作するスイッチが設けられ、例えば、リモコン（図示せず）による操作が不可能な状態においても衛生洗浄装置１００の動作を制御可能としたものである。また、ケースカバー４３０の下方後部には、バルブユニット６９０が設けられている。バルブユニット６９０は、水道から供給された水のポンプユニット６５０への供給を制御する役割を有する。
【００４２】
一方、ケースカバー４３０の内部の前部上部には、ＤＣ（直流）コントローラ７００とドライバユニット７１０とが併設されている。そして、ケースカバー４３０の内部の後部には、電動開閉ユニット７２０と便器洗浄バルブユニット７３０とが併設されている。電動開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直圧式」の構造を有し、ロータンクなどを設けずに、水道から供給される水を便器洗浄バルブユニット７３０を介して便器８００に供給して洗浄を実施する。
【００４３】
一方、ケースカバー４３０の内部の最後部には、室暖ユニット７４０が設けられている。室暖ユニット７４０は、温風を排出孔４５０から排出することによりトイレ装置が設置されたトイレ空間を暖房する役割を有する。また、下端には、電源コードが配設され、外部から交流１００ボルトなどの電源を供給する。
【００４４】
図１９は、便器洗浄バルブユニット７３０の取り付け構造を説明するための斜視図である。    
また、図２０は、便器洗浄バルブユニット７３０の取り付け部を上方から眺めた模式図である。
【００４５】
便器洗浄バルブユニット７３０は、便器８００の後ろ側に固定された便器側ベースプレート７６０に支持され、給水配管７３５により便器８００に接続されている。便器８００の上面には、本体部４００の取付基板７７０が固定される。そして、便器洗浄バルブユニット７３０は、取付基板７７０に設けられた開口７７５を貫通してその上方に突出している。  
図２１は、電動開閉ユニット７２０と便器洗浄バルブユニット７３０との配置関係を表す斜視図である。  
また、図２２は、これら要素を後ろ側から眺めた模式図である。  
電動開閉ユニット７２０と便器洗浄バルブユニット７３０とは、本体部４００の後部において併設されている。そして、図１７及び図１８に関して前述したように、衛生洗浄装置１００のノズルユニット６１０をはじめとする各機能部は、取付基板７７０の前部と電動開閉ユニット７２０の下に適宜配置されている。
【００４６】
以上説明したように本具体例のトイレ装置は、種々の機能を有する複数のユニット類を内蔵するが、本具体例によれば、図１７及び図１８に関して前述したように、衛生洗浄装置１００のノズルユニット６１０、温風ユニット６２０、脱臭ユニット６３０、ポンプユニット６５０、熱交換ユニット６６０、バルブユニット６９０などが本体部４００の下方に設けられている。また、本体部４００の後部には便器洗浄バルブユニット７３０が内装され、電動開閉ユニット７２０がこれと併設して本体部４００の後部に設けられている。このように、電動開閉ユニット７２０を本体部４００の後部に設けることにより、便蓋３００を本体部４００の後部で軸支し、便蓋３００が閉じた時に、本体部４００の上面の略全体を覆うようにすることができる。
【００４７】
また、便器洗浄バルブユニット７３０を本体部４００の後部に内装し、その上方に人体検知センサ５００を設けることにより、本体部４００のサイズをコンパクトにしつつ、人体検知センサ５００を本体部４００の上面に設置でき、図９乃至図１１に関して前述したように、小さな透過窓３１０を介して幅広い範囲を確実に検知することが可能となる。なお、人体検知センサ５００を便器洗浄バルブユニット７２０の上方ではなく、電動開閉ユニット７２０の上方に設けても、同様の作用効果を得ることができる。つまり、電動開閉ユニット７２０と便器洗浄バルブユニット７３０を本体部４００の後部に内装し、そのいずれかの上方に人体検知センサ５００を設けることにより、本体部４００のサイズをコンパクトにしつつ、透過窓３１０を介して確実な人体検知が可能となる。
【００４８】
以上、具体例を参照しつつ、本発明の実施の形態について説明した。しかし、本発明は、これらの具体例に限定されるものではない。例えば、図１乃至図１６に関して前述した衛生洗浄装置１００は、水道直圧式のみならず、ロータンクなどを搭載した便器に搭載した場合にも、同様の作用効果が得られる。
【００４９】
また、図１乃至図２２に関して前述した各具体例は、技術的に可能な範囲において適宜組み合わせることができ、これらも本発明の範囲に包含される。  
また、衛生洗浄装置やトイレ装置の構造およびその動作の内容についても、図１乃至図２２に関して前述したものには限定されず、当業者が適宜設計変更することにより本発明を同様に実施し、同様の効果を得ることができるものも本発明の要旨を含む限り、本発明の範囲に包含される。
【図面の簡単な説明】
【００５０】
【図１】本発明の実施の形態にかかる衛生洗浄装置を搭載したトイレ装置の模式斜視図である。
【図２】本発明の実施の形態にかかる衛生洗浄装置を搭載したトイレ装置の模式斜視図である。
【図３】本具体例の衛生洗浄装置を正面から眺めた斜視図である。
【図４】便蓋３００が閉じた状態の人体検知センサ５００の取り付け部を表す拡大斜視図である。
【図５】便蓋３００が開いた状態の人体検知センサ５００の取り付け部を表す拡大斜視図である。
【図６】便蓋３００が開いた状態の人体検知センサ５００の取り付け部を表す拡大斜視図である。
【図７】便蓋３００が開いた状態においてその軸支部を正面から眺めた拡大斜視図である。
【図８】人体検知センサ５００を埋め込んだ本体部４００の一部拡大縦断面図である。
【図９】人体検知センサ５００を埋め込んだ本体部４００の一部拡大縦断面図である。
【図１０】本具体例の衛生洗浄装置１００において人体検知センサ５００により人体を検知可能な範囲を例示する模式図である。
【図１１】本具体例の衛生洗浄装置１００において人体検知センサ５００により人体を検知可能な範囲を例示する模式図である。
【図１２】透過窓３１０を取り付ける便蓋３００の取付部を表す斜視図である。
【図１３】透過窓３１０を斜め上方から眺めた斜視図である。
【図１４】透過窓３１０を斜め下方から眺めた斜視図である。
【図１５】透過窓３１０を横方向に切断した断面斜視図である。
【図１６】透過窓３１０の取り付け部の断面を表す拡大断面図である。
【図１７】本体部４００の内部を前方から眺めた斜視図である。
【図１８】本体部４００の内部を後方から眺めた斜視図である。
【図１９】便器洗浄バルブユニット７３０の取り付け構造を説明するための斜視図である。
【図２０】便器洗浄バルブユニット７３０の取り付け部を上方から眺めた模式図である。
【図２１】電動開閉ユニット７２０と便器洗浄バルブユニット７３０との配置関係を表す斜視図である。
【図２２】電動開閉ユニット７２０と便器洗浄バルブユニット７３０を後ろ側から眺めた模式図である。
【符号の説明】
【００５１】
１００ 衛生洗浄装置、２００ 便座、３００ 便蓋、３０５ 後部下端、３１０ 透過窓、３１２ レール溝、３１４ フック、３２０ 窓部、３３０ フランジ部、３４０ 開口、３５０ レール、３６０ 支持橋、３６５ フック用凹部、４００ 本体部、４０５ 段部、４１０ 凹設部、４２０ 着座センサ、４３０ ケースカバー、４４０ 排気孔、４５０ 排出孔、５００ 人体検知センサ、５１０ 焦電素子、５２０ レンズ、５３０ 基板、６１０ ノズルユニット、６２０ 温風ユニット、６３０ 脱臭ユニット、６４０ コントローラ、６５０ ポンプユニット、６６０ 熱交換ユニット、６７０ 表示部、６８０ 補助操作ユニット、６９０ バルブユニット、７００ コントローラ、７１０ ドライバユニット、７２０ 便器洗浄バルブユニット、７２０ 電動開閉ユニット、７３０ 便器洗浄バルブユニット、７３５ 給水配管、７４０ 室暖ユニット、７６０ 便器側ベースプレート、７７０ 取付基板、７７２ ピン、７７５ 開口、７８０ 電動開閉ユニット、８００ 便器、
【図１】
2007209642.tif 000003
【図２】
2007209642.tif 000004
【図３】
2007209642.tif 000005
【図４】
2007209642.tif 000006
【図５】
2007209642.tif 000007
【図６】
2007209642.tif 000008
【図７】
2007209642.tif 000009
【図８】
2007209642.tif 000010
【図９】
2007209642.tif 000011
【図１０】
2007209642.tif 000012
【図１１】
2007209642.tif 000013
【図１２】
2007209642.tif 000014
【図１３】
2007209642.tif 000015
【図１４】
2007209642.tif 000016
【図１５】
2007209642.tif 000017
【図１６】
2007209642.tif 000018
【図１７】
2007209642.tif 000019
【図１８】
2007209642.tif 000020
【図１９】
2007209642.tif 000021
【図２０】
2007209642.tif 000022
【図２１】
2007209642.tif 000023
【図２２】
2007209642.tif 000024
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
吐水口から水を噴射する吐水ノズルを内蔵した本体部と、
前記本体部の相対的に前方において回転可能に軸支された便座と、
前記本体部の相対的に後方において回転可能に軸支され、閉じた状態において前記便座及び前記本体部の上面の略全体を覆う便蓋と、
前記便蓋の後部に設けられ、前記便蓋とは異なる材料により形成された透過窓と、
前記本体部の上面に設けられ、前記便蓋が閉じた状態において前記透過窓を介して人体を検知可能な人体検知センサと、
を備え、
前記人体検知センサは、人体が発する赤外線を集光するレンズと、前記赤外線を検知する焦電素子と、を有し、
前記本体部の前記上面には、周囲よりも凹ませた凹設部が設けられ、
前記レンズは、少なくともその一部が前記凹設部に埋め込まれてなることを特徴とする衛生洗浄装置。
【請求項２】
前記便座は、暖房可能とされていることを特徴とする請求項１記載の衛生洗浄装置。
【請求項３】
前記透過窓は、前記便蓋に対して着脱可能に取り付けられたことを特徴とする請求項１または２に記載の衛生洗浄装置。
【請求項４】
前記便蓋は、その後端に設けられた開口部を有し、
前記透過窓の側面と前記開口部の側壁のいずれか一方にはレールが設けられ、
前記透過窓の側面と前記開口部の側壁のいずれか他方にはレール溝が設けられ、
前記レールと前記レール溝とを係合させた状態で前記透過窓をスライドさせることにより前記便蓋に取り付け可能とされたことを特徴とする請求項３記載の衛生洗浄装置。
【請求項５】
前記透過窓と前記開口部のいずれか一方には係合凸部が設けられ、
前記透過窓と前記開口部のいずれか他方には係合凹部が設けられ、
前記便蓋に前記透過窓を取り付けた状態において、前記係合凸部と前記係合凹部とが係合してなることを特徴とする請求項４記載の衛生洗浄装置。
【請求項６】
腰掛便器と、
請求項１〜５のいずれか１つに記載の衛生洗浄装置と、
を備えたことを特徴とするトイレ装置。
【請求項７】
前記本体部は、前記便蓋を開閉させる便蓋電動開閉装置と、前記腰掛便器に対する洗浄水の供給を制御する便器洗浄バルブと、を内装し、
前記人体検知センサは、前記便蓋電動開閉装置及び前記便器洗浄バルブのいずれかの上方に設けられたことを特徴とする請求項６記載のトイレ装置。
【手続補正２】
【補正対象書類名】明細書
【補正対象項目名】０００６
【補正方法】変更
【補正の内容】
【０００６】
本発明の一態様によれば、
吐水口から水を噴射する吐水ノズルを内蔵した本体部と、
前記本体部の相対的に前方において回転可能に軸支された便座と、
前記本体部の相対的に後方において回転可能に軸支され、閉じた状態において前記便座及び前記本体部の上面の略全体を覆う便蓋と、
前記便蓋の後部に設けられ、前記便蓋とは異なる材料により形成された透過窓と、
前記本体部の上面に設けられ、前記便蓋が閉じた状態において前記透過窓を介して人体を検知可能な人体検知センサと、
を備え、
前記人体検知センサは、人体が発する赤外線を集光するレンズと、前記赤外線を検知する焦電素子と、を有し、
前記本体部の前記上面には、周囲よりも凹ませた凹設部が設けられ、
前記レンズは、少なくともその一部が前記凹設部に埋め込まれてなることを特徴とする衛生洗浄装置が提供される。
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
吐水口から水を噴射する吐水ノズルを内蔵した本体部と、
前記本体部の相対的に前方において回転可能に軸支された便座と、
前記本体部の相対的に後方において回転可能に軸支され、閉じた状態において前記便座及び前記本体部の上面の略全体を覆う便蓋と、
前記便蓋の後部に設けられ、前記便蓋とは異なる材料により形成されて、前記便蓋よりも肉薄の窓部を有する透過窓と、
前記本体部の上面に設けられ、前記便蓋が閉じた状態において前記透過窓を介して人体を検知可能な人体検知センサと、
を備え、
前記人体検知センサは、人体が発する赤外線を集光するレンズと、前記赤外線を検知する焦電素子と、を有し、
前記本体部の前記上面には、周囲よりも凹ませた凹設部が設けられ、
前記レンズは、少なくともその一部が前記凹設部に埋め込まれ、他の一部が前記本体部から突出してなり、
前記便蓋が閉じた状態において前記透過窓の窓部の下方に前記人体検知センサのレンズを配設したことを特徴とする衛生洗浄装置。
【請求項２】
前記便座は、暖房可能とされていることを特徴とする請求項１記載の衛生洗浄装置。
【請求項３】
前記透過窓は、前記便蓋に対して着脱可能に取り付けられたことを特徴とする請求項１または２に記載の衛生洗浄装置。
【請求項４】
前記便蓋は、その後端に設けられた開口部を有し、
前記透過窓の側面と前記開口部の側壁のいずれか一方にはレールが設けられ、
前記透過窓の側面と前記開口部の側壁のいずれか他方にはレール溝が設けられ、
前記レールと前記レール溝とを係合させた状態で前記透過窓をスライドさせることにより前記便蓋に取り付け可能とされたことを特徴とする請求項３記載の衛生洗浄装置。
【請求項５】
前記透過窓と前記開口部のいずれか一方には係合凸部が設けられ、
前記透過窓と前記開口部のいずれか他方には係合凹部が設けられ、
前記便蓋に前記透過窓を取り付けた状態において、前記係合凸部と前記係合凹部とが係合してなることを特徴とする請求項４記載の衛生洗浄装置。
【請求項６】
腰掛便器と、
請求項１〜５のいずれか１つに記載の衛生洗浄装置と、
を備えたことを特徴とするトイレ装置。
【請求項７】
前記本体部は、前記便蓋を開閉させる便蓋電動開閉装置と、前記腰掛便器に対する洗浄水の供給を制御する便器洗浄バルブと、を内装し、
前記人体検知センサは、前記便蓋電動開閉装置及び前記便器洗浄バルブのいずれかの上方に設けられたことを特徴とする請求項６記載のトイレ装置。
【手続補正２】
【補正対象書類名】明細書
【補正対象項目名】０００６
【補正方法】変更
【補正の内容】
【０００６】
本発明の一態様によれば、
吐水口から水を噴射する吐水ノズルを内蔵した本体部と、
前記本体部の相対的に前方において回転可能に軸支された便座と、
前記本体部の相対的に後方において回転可能に軸支され、閉じた状態において前記便座及び前記本体部の上面の略全体を覆う便蓋と、
前記便蓋の後部に設けられ、前記便蓋とは異なる材料により形成されて、前記便蓋よりも肉薄の窓部を有する透過窓と、
前記本体部の上面に設けられ、前記便蓋が閉じた状態において前記透過窓を介して人体を検知可能な人体検知センサと、
を備え、
前記人体検知センサは、人体が発する赤外線を集光するレンズと、前記赤外線を検知する焦電素子と、を有し、
前記本体部の前記上面には、周囲よりも凹ませた凹設部が設けられ、
前記レンズは、少なくともその一部が前記凹設部に埋め込まれ、他の一部が前記本体部から突出してなり、
前記便蓋が閉じた状態において前記透過窓の窓部の下方に前記人体検知センサのレンズを配設したことを特徴とする衛生洗浄装置が提供される。